(57)【要約】【課題】木造建造物の構造補強等のために張設されるブレースの端部を木材に接合する接合金具を提供する。【解決手段】接合金具(30)は、それぞれ金属板の折曲により形成された第一金具(31)と第二金具(32)により構成されており、第一金具と第二金具は、木材の側面の幅方向に並設した状態で固定ボルトにより固着される第一座部(31a)と第二座部(32a)と、該第一座部及び第二座部の対向する縁部から折曲されることにより相互に合掌されると共にブレースの端部金具に連結ボルトにより連結される第一舌片部(31b)と第二舌片部(32b)を備えており、両舌片部(31b)(32b)を合掌状態で相互に離反不能に固定されるように構成している。【選択図】図７
2014177799.tif 000002
【特許請求の範囲】
【請求項１】
木造建造物を構成する木材にブレースの端部を接合する接合金具であり、前記木材の側面に重ねて固着される座部と、該座部から前記ブレースに向けて突出することによりブレースの端部金具を連結する舌片部を備えた構成において、
前記接合金具(30)は、それぞれ金属板の折曲により形成された第一金具(31)と第二金具(32)により構成されており、
第一金具と第二金具は、前記木材の側面の幅方向に並設可能な第一座部(31a)と第二座部(32a)を備えると共に、該第一座部及び第二座部の対向する縁部から折曲されることにより相互に合掌可能な第一舌片部(31b)と第二舌片部(32b)を備え、
前記第一座部(31a)と第二座部(32a)は、それぞれ前記木材に貫通して固着される固定ボルトを挿通する固定孔(10)を設け、前記第一舌片部(31b)と第二舌片部(32b)は、それぞれ前記ブレースの端部金具を連結する連結ボルトを挿通する連結孔(11)を設け、合掌状態で連結孔が同軸状に配置されると共に、相互に離反不能に固定されるように構成したことを特徴とする木造建造物用ブレース接合金具。
【請求項２】
第一金具(31)及び第二金具(32)の第一舌片部(31b)と第二舌片部(32b)は、上縁をブレースに向けて傾斜させた形状を備え、中央部よりもブレースに近い個所に前記連結孔(11)を設けて成ることを特徴とする請求項１に記載の木造建造物用ブレース接合金具。
【請求項３】
第一金具(31)及び第二金具(32)は、第一舌片部(31b)と第二舌片部(32b)を左右から合掌させた状態で、固定孔(10)を含む第一座部(31a)及び連結孔(11)を含む第一舌片部(31b)に関する第一金具(31)の形状と、固定孔(10)を含む第二座部(31b)及び連結孔(11)を含む第二舌片部(32b)に関する第二金具(32)の形状を、左右対称に形成して成ることを特徴とする請求項１又は２に記載の木造建造物用ブレース接合金具。
【請求項４】
前記ブレースの端部金具は、ブレース線条材の端部に固着した羽子板金具に前記連結ボルトを挿通するボルト孔を設けており、
第一舌片部(31b)及び第二舌片部(32b)は、合掌した状態で一方の外側面に前記羽子板金具(5)を重ねて前記連結ボルト(6)を締着したとき、前記ブレース線条材(2a)の軸心を通る軸線(Q)が第一舌片部(31b)と第二舌片部(32b)の合掌面に一致するように構成して成ることを特徴とする請求項１、２又は３に記載の木造建造物用ブレース接合金具。
【発明の詳細な説明】
【技術分野】
【０００１】
本発明は、木造建造物の構造補強等のために張設されるブレースの端部を木材に接合する接合金具に関する。
【背景技術】
【０００２】
近年、木造建造物の耐震性等の構造補強のため、隣り合う柱や梁等の木材の間にブレース（筋交い）をＸ字状に張設することが行われており、ブレースの端部を木材に接合する接合金具が提供されている。
【０００３】
ところで、構造補強を目的とするブレースの仕様及び性能は、例えば、Ｍ１２（直径１２ｍｍ）のＳＳ４００製のブレース線条材を使用したとき、保証荷重２０．７ｋＮ、引張荷重（最小）３５．２ｋＮが求められる。従って、接合金具も、このような高荷重に耐え得るものでなければならない。
【０００４】
このため、接合金具は、厚手の鋼板や鉄板により形成する必要がある。しかしながら、厚手の金属板は折曲加工が困難なため、一般的には、木材の側面に重ねて固着される座板と、該座板からブレースに向けて突出する舌片板等を複数枚の金属板により構成し、両者を溶接により固着している。
【０００５】
前記接合金具は、前記座板に固定孔を設け、舌片板に連結孔を設けており、施工現場において、木材に貫通して固着される固定ボルトを前記固定孔に挿通することにより前記座板を木材の側面に固着し、ブレースの端部金具を連結する連結ボルトを前記連結孔に挿通することによりブレースの端部を接合している。
【先行技術文献】
【特許文献】
【０００６】
【特許文献１】特開２０１２−５７４４７号公報
【特許文献２】特開２０１０−３１４７４号公報
【発明の概要】
【発明が解決しようとする課題】
【０００７】
上述のように、接合金具は、ブレースに求められる高荷重に耐える必要があることは勿論であるが、その一方において、低コストによる安価な提供が求められている。
【０００８】
この点に関して、従来の接合金具は、溶接作業を要するため、加工費が大きなコスト要因となり、到底、ニーズに応えられない。
【０００９】
このため、溶接に依存せず、金属板の折曲加工により形成した接合金具を提供することが望ましいが、その場合、強度に難点があり、高荷重を受けた際に、接合金具が変形したり、変形に伴い木材に割れを生じたりする問題がある。
【００１０】
本発明は、金属板の折曲加工により安価に製造できると共に、上述のようなブレース構造に求められる高荷重を受けた際にも、金具自体の変形がなく、しかも、木材に割れを生じさせないようにした接合金具を提供することを課題とする。
【課題を解決するための手段】
【００１１】
そこで、本発明が手段として構成したところは、木造建造物を構成する木材にブレースの端部を接合する接合金具であり、前記木材の側面に重ねて固着される座部と、該座部から前記ブレースに向けて突出することによりブレースの端部金具を連結する舌片部を備えた構成において、前記接合金具は、それぞれ金属板の折曲により形成された第一金具と第二金具により構成されており、第一金具と第二金具は、前記木材の側面の幅方向に並設可能な第一座部と第二座部を備えると共に、該第一座部及び第二座部の対向する縁部から折曲されることにより相互に合掌可能な第一舌片部と第二舌片部を備え、前記第一座部と第二座部は、それぞれ前記木材に貫通して固着される固定ボルトを挿通する固定孔を設け、前記第一舌片部と第二舌片部は、それぞれ前記ブレースの端部金具を連結する連結ボルトを挿通する連結孔を設け、合掌状態で連結孔が同軸状に配置されると共に、相互に離反不能に固定されるように構成した点にある。
【００１２】
この際、第一金具及び第二金具の第一舌片部と第二舌片部は、上縁をブレースに向けて傾斜させた形状を備え、中央部よりもブレースに近い個所に前記連結孔を設けることが好ましい。
【００１３】
更に、第一金具及び第二金具は、第一舌片部と第二舌片部を左右から合掌させた状態で、固定孔を含む第一座部及び連結孔を含む第一舌片部に関する第一金具の形状と、固定孔を含む第二座部及び連結孔を含む第二舌片部に関する第二金具の形状を、左右対称に形成することが好ましい。
【００１４】
本発明の実施形態において、前記ブレースの端部金具は、ブレース線条材の端部に固着した羽子板金具に前記連結ボルトを挿通するボルト孔を設けており、第一舌片部及び第二舌片部は、合掌した状態で一方の外側面に前記羽子板金具を重ねて前記連結ボルトを締着したとき、前記ブレース線条材の軸心を通る軸線が第一舌片部と第二舌片部の合掌面に一致するように構成している。
【発明の効果】
【００１５】
請求項１に記載の本発明によれば、接合金具３０を構成する第一金具３１と第二金具３２を金属板の折曲加工により形成しており、溶接作業を必要としないので、安価に接合金具３０を提供することが可能になる。
【００１６】
そして、使用時に組み合わせられる第一金具３１と第二金具３２は、第一座部３１ａと第二座部３２ａを木材の側面の幅方向に並設した状態で固定ボルト４により固着され、第一舌片部３１ｂと第二舌片部３２ｂを合掌した状態でブレースの端部金具５を連結する連結ボルト６により離反不能に固定されているため、ブレース２に作用する引張荷重Ｆに対して、第一舌片部３１ｂ及び第二舌片部３２ｂに生じるモーメントＴ２を抑制すると共に、モーメントＴ２に打ち勝つことができるので、金具自体に変形や歪みを生じることがなく、固定ボルト４の安定状態を保持することにより、木割れを生じることがない。
【００１７】
請求項２に記載の本発明によれば、第一金具３１及び第二金具３２の第一舌片部３１ｂと第二舌片部３２ｂは、それぞれ上縁をブレース２に向けて傾斜させた形状を備え、中央部よりもブレース２に近い個所に連結孔１１を設けているため、ブレース２の引張荷重に対して、第一舌片部３１ｂ及び第二舌片部３２ｂが折曲方向の応力や歪みを生じることはなく、容易に変形しない。そして、引張荷重を並設状態の第一座部３１ａと第二座部３２ａに分散させ、好適に耐えることが可能である。
【００１８】
請求項３に記載の本発明によれば、第一金具３１と第二金具３２を分離した状態で１個ずつ使用することが可能であり、その際、第一金具３１と第二金具３２の一方の金具を右勝手として使用し、他方の金具を左勝手として使用することができる利点がある。
【図面の簡単な説明】
【００１９】
【図１】木造建造物におけるブレース構造の１例を示す正面図である。
【図２】接続金具の第１比較例を示す分解斜視図である。
【図３】第１比較例の作用を示しており、（Ａ）は引張荷重が作用する前の状態を示す断面図、（Ｂ）は引張荷重が作用した後の状態を示す断面図である。
【図４】接続金具の第１比較例を示す分解斜視図である。
【図５】第２比較例の作用を示しており、（Ａ）は引張荷重が作用する前の状態を示す断面図、（Ｂ）は引張荷重が作用した後の状態を示す断面図である。
【図６】第２比較例の取付レイアウトを示す斜視図である。
【図７】本発明の１実施形態を示しており、（Ａ）は接続金具の斜視図、（Ｂ）は接続金具の取付状態を示す斜視図である。
【図８】本発明の１実施形態の作用を示す断面図である。
【図９】本発明の１実施形態に関して、第一金具及び第二金具を分離独立して使用した場合における取付レイアウトを示す斜視図である。
【発明を実施するための形態】
【００２０】
以下図面に基づいて、本発明に対する比較例を説明した後、本発明の好ましい実施形態を詳述する。
【００２１】
［ブレース構造］
図１は、木造建造物におけるブレース構造の１例を示しており、隣り合う柱や梁等の一対の木材１、１の間にブレース２、２がＸ字状に張設され、該ブレースの端部は木材の側面に固着した４個の接合金具３に接合されている。
【００２２】
接合金具３は、木材１の側面に重ねて固着される座部と、該座部から前記ブレース２に向けて突出する舌片部を備えている。前記座部は固定孔を設けており、木材１に貫通して固着される固定ボルト４を前記固定孔に挿通することにより木材１の側面に固着されている。前記舌片部は連結孔を設けており、ブレース２の端部金具５を連結する連結ボルト６を前記連結孔に挿通することによりブレース２の端部を接合している。
【００２３】
ブレース２は、ブレース線条材２ａの端部に前記端部金具５を固着し、ブレース線条材２ａの中途の分割部にターンバックル７を構成し、前記接続金具３に接続された状態で木材１の軸線に対して所定角度θを保持すると共に、ターンバックル７の締着により所定の張力を保持する。
【００２４】
［第１比較例］
図２及び図３は、本発明に先立ち本発明者が試作した第１比較例を示しており、接合金具３ａは、それぞれ厚さ６ｍｍの鋼板から成る座板８ａと舌片板９ａの２枚の金属板により構成され、両者を溶接Ｗにより固着している。前記座板８ａは、細長い長方形に形成されると共に両端に固定孔１０、１０を穿設している。前記舌片板９ａは、前記固定孔１０、１０の間に位置して座板８ａに対し断面Ｔ形となるように接合されると共に溶接Ｗにより固着されており、上縁をブレース２に向けて傾斜させた形状とされ、中央部よりもブレース２に近い個所に連結孔１１を穿設している。
【００２５】
前記座板８ａは、木材１に貫設した通孔１２、１２に前記固定孔１０、１０を合致させることにより該木材の側面に重ねられ、頭付きの固定ボルト４を固定孔１０と通孔１２に挿通させた状態でナット１３を締着することにより、木材１に強固に固着される。
【００２６】
ブレース２の端部金具５は、羽子板金具により構成され、先端近傍にボルト孔１４を穿設している。これにより、ブレース２は、前記ボルト孔１４を前記連結孔１１に合致させるように端部金具５を舌片板９ａの外側面に重ねられ、頭付きの連結ボルト６を連結孔１１とボルト孔１４に挿通させた状態でナット１５を締着することにより、舌片板９ａに接合される。
【００２７】
本発明者の実験によれば、第１比較例は、図３（Ａ）に示すように、ブレース２に引張荷重Ｆを作用させると、舌片板９ａは、上縁をブレース２に向けて傾斜させた形状を備え、中央部よりもブレース２に近い個所に連結孔１１を設けているので、ブレース２の引張荷重に対して、折曲方向の応力や歪みを生じることはなく、容易に変形しない。しかしながら、図３（Ｂ）に示すように、固定ボルト４、４の間に位置して、座板８ａが浮き上がり「へ字状」の変形部１６を発生する。これに伴い、変形部１６に臨む固定ボルト４がモーメントＴ１を受け、固定ボルト４を変形させるだけでなく、木材１に割れを発生する。モーメントＴ１の方向は、木材１の木目に向かうので、僅かな割れが生じると、以後は、簡単に割れを成長させてしまうことが判明した。
【００２８】
［第２比較例］
図４及び図５は、本発明に先立ち本発明者が試作した第２比較例を示しており、接合金具３ｂは、厚さ６ｍｍの鋼板から成る１枚の金属板を折曲することにより座部８ｂと舌片部９ｂを一体に形成している。前記座部８ｂは、細長い長方形に形成されると共に両端に固定孔１０、１０を穿設している。前記舌片部９ｂは、座部８ｂの側縁の全長にわたり断面Ｌ形となるように折曲され、上縁をブレース２に向けて傾斜させた形状とされ、中央部よりもブレース２に近い個所に連結孔１１を穿設している。
【００２９】
前記座部８ｂは、木材１に貫設した通孔１２、１２に前記固定孔１０、１０を合致させることにより該木材の側面に重ねられ、頭付きの固定ボルト４を固定孔１０と通孔１２に挿通させた状態でナット１３を締着することにより、木材１に強固に固着される。
【００３０】
ブレース２の端部金具５は、羽子板金具により構成され、先端近傍にボルト孔１４を穿設している。これにより、ブレース２は、前記ボルト孔１４を前記連結孔１１に合致させるように端部金具５を舌片部９ｂの外側面に重ねられ、頭付きの連結ボルト６を連結孔１１とボルト孔１４に挿通させた状態でナット１５を締着することにより、舌片板９ｂに接合される。
【００３１】
本発明者の実験によれば、第２比較例は、図５（Ａ）に示すように、ブレース２に引張荷重Ｆを作用させると、舌片部９ｂは、上縁をブレース２に向けて傾斜させた形状を備え、中央部よりもブレース２に近い個所に連結孔１１を設けているので、ブレース２の引張荷重に対して、折曲方向の応力や歪みを生じることはなく、容易に変形しない。しかしながら、図５（Ｂ）に示すように、引張荷重Ｆを直接に受ける舌片部９ｂと、固定ボルト４により固定された座部８ｂの位置が相互に偏位しており、片持ち支持の状態にあるので、図示のようなモーメントＴ２を受ける。その結果、座部８ｂの折曲縁部１７が浮き上がり、変形させられ、これに伴い、矢印Ｐで示すように座部８ｂの側縁が木材１に食い込みつつ陥没し、これにより、固定ボルト４が変形し、木材１に割れを発生する。
【００３２】
第２比較例の接合金具３ｂは、座部８ｂと舌片部９ｂを断面Ｌ形に折曲形成することにより低コストを可能にするが、上述のように、高い引張荷重に耐えることができない。そして、少なくとも舌片部９ｂの折曲方向の応力や歪みを抑制するため、舌片部９ｂの上縁をブレース２に向けて傾斜させ、該舌片部９ｂの中央部よりもブレースに近い個所に前記連結孔１１を穿設した構成としている。
【００３３】
従って、同一の接合金具３ｂを右勝手と左勝手の両方に使用することはできないので、Ｘ字状に配置されるブレース２、２の両端の４個所に位置して、各接合金具３ｂの舌片部９ｂをブレース２に向かわせた姿勢とするためには、図６に示すように、座部８ｂを相互に反対向きに配置しなければならなくなる。このため、ブレース２、２をほぼ同一面上に設置する場合、相互に反対向きに配置された座部８ｂの固定孔１０の列Ｌ１、Ｌ２の位置がずれるため、木材１に通孔１２を形成するための作業が煩雑となる。
【００３４】
［本発明の実施形態］
図７ないし図９は、本発明の１実施形態を示している。図７に示すように、接合金具３０は、それぞれ厚さ６ｍｍの鋼板から成る金属板を折曲することにより形成された第一金具３１と第二金具３２により構成されている。
【００３５】
第一金具３１と第二金具３２は、それぞれ、断面Ｌ形に折曲形成され、前記木材１の側面の幅方向に並設可能な第一座部３１ａと第二座部３２ａを備えると共に、該第一座部３１ａ及び第二座部３２ａの対向する縁部の全長から折曲された相互に合掌可能な第一舌片部３１ｂと第二舌片部３２ｂを備えている。
【００３６】
前記第一座部３１ａと第二座部３２ａは、それぞれ前記木材１に貫通して固着される固定ボルト４を挿通する固定孔１０、１０を両端近傍部に穿設している。前記第一舌片部３１ｂと第二舌片部３２ｂは、それぞれ上縁をブレース２に向けて傾斜させた形状とされ、中央部よりもブレース２に近い個所に連結孔１１を穿設している。
【００３７】
この際、第一金具３１及び第二金具３２は、第一舌片部３１ｂと第二舌片部３２ｂを左右から合掌させた状態で、前記固定孔１０を含む第一座部３１ａ及び連結孔１１を含む第一舌片部３１ｂに関する第一金具３１の形状と、前記固定孔１０を含む第二座部３２ａ及び連結孔１１を含む第二舌片部３２ｂに関する第二金具３２の形状を、左右対称形状に形成している。つまり、第一舌片部３１ｂと第二舌片部３２ｂは同形同大に形成され、同形同大に形成された第一座部３１ａと第二座部３２ａが相反する方向に折曲されている。
【００３８】
そこで、図７（Ｂ）に示すように、接合金具３０は、第一金具３１と第二金具３２の第一舌片部３１ｂと第二舌片部３２ｂを合掌させ、第一座部３１ａと第二座部３２ａを並設した状態で、木材１に貫設した通孔１２、１２に前記固定孔１０、１０を合致させることにより第一座部３１ａと第二座部３２ａを該木材の側面に重ねられ、頭付きの固定ボルト４を固定孔１０と通孔１２に挿通させた状態でナット１３を締着することにより、木材１に強固に固着される。この状態で合掌した第一舌片部３１ｂと第二舌片部３２ｂは、相互に連結孔１１を同軸状に重ねられた状態で連通している。
【００３９】
ブレース２の端部金具５は、先端近傍にボルト孔１４を穿設した羽子板金具から成り、ブレース２を構成するＭ１２（直径１２ｍｍ）のＳＳ４００製のブレース線条材２ａの先端に固着されている。従って、前記ボルト孔１４を前記連結孔１１に合致させるようにして、端部金具５を一方の舌片部（図例では第一舌片部３１ｂ）の外側面に重ね、頭付きの連結ボルト６を連結孔１１とボルト孔１４に挿通させた状態でナット１５を締着すれば、ブレース２が合掌状態の第一舌片部３１ｂ及び第二舌片部３２ｂに接合されると共に、第一舌片部３１ｂと第二舌片部３２ｂは、相互に離反不能に固定される。
【００４０】
この際、Ｍ１２（直径１２ｍｍ）とされたブレース線条材２ａに対して、第一舌片部３１ｂと第二舌片部３２ｂの板厚が６ｍｍとされており、ブレース線条材２ａの直径Ｍと各舌片部の板厚ｔの条件をＭ＝２ｔとするように構成している。このため、ブレース線条材２ａの軸心を通る軸線Ｑは、第一舌片部３１ｂと第二舌片部３２ｂの合掌面に一致する（図８参照）。
【００４１】
従って、上記構成の接合金具３０によれば、第一金具３１及び第二金具３２を何れも金属板の折曲により形成しているので、加工コストが低く、安価に提供される。そして、図８に示すように、ブレース２に引張荷重Ｆを作用させたとき、第一舌片部３１ｂ及び第二舌片部３２ｂは、上縁をブレース２に向けて傾斜させた形状を備え、中央部よりもブレース２に近い個所に連結孔１１を設けているので、ブレース２の引張荷重に対して、折曲方向の応力や歪みを生じることはなく、容易に変形しない。
【００４２】
特に、連結ボルト６を介して第一舌片部３１ｂ及び第二舌片部３２ｂに作用する引張力に対して、両舌片部３１ｂ、３２ｂは、合掌状態で連結ボルト６及びナット１５により離反不能に固定されているため、第２比較例に関して上述したようなモーメントＴ２を抑制すると共に、モーメントＴ２に打ち勝つことにより、第一座部３１ａ及び第二座部３２ａを含む第一金具３１及び第二金具３２に何らの変形や歪みを生じない。その結果、第一座部３１ａ及び第二座部３２ａが図示矢印Ｐ方向に向けて木材１に食い込むことはないので、固定ボルト４の安定した固着状態を保持し、木材１に割れを生じることもない。
【００４３】
この際、第一座部３１ａ及び第二座部３２ａは、垂直方向ではなく、所定角度θとされたブレース２による傾斜方向の引張荷重を受けるが、該引張荷重を並設状態の第一座部３１ａと第二座部３２ａに分散させることにより、好適に耐えることができる。
【００４４】
本発明者の実験によれば、第一座部３１ａ及び第二座部３２ａのそれぞれを１本の固定ボルト４により木材１に固着し、ブレース構造に必要とされる引張荷重３５．２ｋＮを与えたとき、接合金具３０及び固定ボルト４に全く変形や歪みはなく、木材の割れも生じなかった。限界を確認するため、第一座部３１ａ及び第二座部３２ａのそれぞれを２本の固定ボルト４により木材１に固着し、引張荷重Ｆを更に高めて実験したところ、Ｍ１２（直径１２ｍｍ）の固定ボルト４を使用した場合は、引張荷重６１．２９ｋＮによりボルトが破断するまで接合金具３０は良好に耐えることができ、Ｍ１６（直径１６ｍｍ）の固定ボルト４を使用した場合は、引張荷重６０．５６ｋＮにより木材が割裂するまで接合金具３０が良好に耐えることができ、好結果が確認された。
【００４５】
図示実施形態の場合、接合金具３０を構成する第一金具３１と第二金具３２は、合掌した第一舌片部３１ｂ及び第二舌片部３２ｂを連結ボルト６及びナット１５により離反不能に固定する構成としているが、予め両舌片部３１ｂ、３２ｂをスポット溶接等により離反不能に固着したものとしても良い。
【００４６】
しかしながら、接合金具３０は、高耐力が求められるブレース構造においては、２個の金具３１、３２を組み合わせることにより使用するものであるが、木造建造物によっては高耐力が求められない現場もあるので、その場合は、第一金具３１と第二金具３２をそれぞれ１個ずつ使用することが可能となるように、第一舌片部３１ｂと第二舌片部３２ｂを固着せず、分離可能な構成とすることが好ましい。その際、第一金具３１と第二金具３２の一方の金具を右勝手として使用し、他方の金具を左勝手として使用することができるので、図９に示すように、ほぼ同一平面上でＸ字状に配置されるブレース２、２の両端の４個所に位置して、第一金具３１と第二金具３２を適宜に配置し、全ての金具３１、３２の舌片部３１ｂ、３２ｂをブレース２に向かう姿勢とした状態で、座部３１ａ、３２ａを同方向（図示の下向き方向）に位置させることができるので、固定孔１０の列Ｌ、Ｌが同一線上に位置し、木材１に通孔１２を形成するための作業が容易となる。
【符号の説明】
【００４７】
１  木材
２  ブレース
４、１３  固定ボルト及びナット
５  端部金具
６、１５  連結ボルト及びナット
１０  固定孔
１１  連結孔
３０  接合金具
３１  第一金具
３１ａ  第一座部
３１ｂ  第一舌片部
３２  第二金具
３２ａ  第二座部
３２ｂ  第二舌片部
【図１】
2014177799.tif 000003
【図２】
2014177799.tif 000004
【図３】
2014177799.tif 000005
【図４】
2014177799.tif 000006
【図５】
2014177799.tif 000007
【図６】
2014177799.tif 000008
【図７】
2014177799.tif 000009
【図８】
2014177799.tif 000010
【図９】
2014177799.tif 000011